(57)【要約】  ハンガーレール２内を移動する複数の上部ランナー３ａ，３からパネル１ａ〜１ｃをそれぞれ回動可能に吊下支持し、各パネル１ａ〜１ｃの下端部を、下部レール５内を移動する下部ランナー４ａ〜４ｃで支持した縦型ルーバーが開示される。下部レール５には、各パネル１ａ〜１ｃが引き出し位置にあるときに該パネルの上部から下部までにおけるパネルの間隔を揃える位置で下部ランナー４ａ〜４ｃを保持する位置決め部材２１ａ〜２１ｃを設けた。これにより、パネル１ａ〜１ｃの上部から下部までにおけるパネル間隔を一定とすることができる。
2009133609.tif 000002
【特許請求の範囲】
【請求項１】
ハンガーレール内を移動可能な複数の上部ランナーと、前記上部ランナーにそれぞれ回動可能に吊下支持されるパネルと、下部レール内を移動可能であって前記パネルの下端部をそれぞれ支持する複数の下部ランナーとを備える縦型ルーバーにおいて、
前記下部レールには、前記各パネルが引き出し位置にあるとき該パネルの上部から下部までにおけるパネル間隔を揃える位置で前記下部ランナーを保持する位置決め部材を設けたことを特徴とする縦型ルーバー。
【請求項２】
前記位置決め部材は、前記各パネルの中心線が鉛直方向となる位置で前記下部レールに取着したことを特徴とする請求項１記載の縦型ルーバー。
【請求項３】
前記位置決め部材は、前記下部ランナー同士の間隔が前記上部ランナー同士の間隔と等しくなる位置で前記下部レールに取着したことを特徴とする請求項１記載の縦型ルーバー。
【請求項４】
前記位置決め部材と前記下部ランナーとには、前記パネルを全閉位置に回動した状態に保持する磁石を備えたことを特徴とする請求項１乃至３のいずれか１項に記載の縦型ルーバー。
【請求項５】
前記位置決め部材と前記下部ランナーとには、前記パネルをハンガーレールに直交する状態に回動したとき、互いに反発する磁石を備えたことを特徴とする請求項４記載の縦型ルーバー。
【請求項６】
前記位置決め部材には、前記下部ランナーに当接して同下部ランナーを位置決めする緩衝材を設けたことを特徴とする請求項１乃至５のいずれか１項に記載の縦型ルーバー。
【請求項７】
前記下部レールには、前記パネルの下部ランナーをそれぞれ案内する複数の案内部を上下方向に並設し、前記位置決め部材を前記案内部にそれぞれ設けたことを特徴とする請求項１乃至６のいずれか１項に記載の縦型ルーバー。
【請求項８】
前記上部ランナーには、前記パネルを前記ハンガーレールに沿う状態になるまで一方向に回動させた状態から同一方向へのそれ以上の回動を阻止するストッパを備えたことを特徴とする請求項１乃至７のいずれか１項に記載の縦型ルーバー。
【発明の詳細な説明】
【技術分野】
【０００１】
この発明は、複数枚のパネルをハンガーレールに沿って移動可能にかつ回転可能に支持した縦型ルーバーに関するものである。
【背景技術】
【０００２】
大型の縦型ルーバーにおいては、ハンガーレール内を移動する複数の上部ランナーに縦長のパネルがそれぞれ吊下支持され、各パネルがハンガーレールに沿って移送され、あるいは上部ランナーを支点として回動される。各パネルの下端には下部ランナーが取着され、その下部ランナーが下部レールに沿って移動可能に支持される。【０００３】
ハンガーレール内にはパネルを移送するための移送軸と、パネルを回動するためのチルト軸とが回転可能に支持され、それぞれモーターで回転駆動される。そして、移送軸が回転されると、先頭の上部ランナーがハンガーレール内を移動し、先頭の上部ランナーの移動にともなって後続の上部ランナーが追随する。このような動作により、各パネルがハンガーレールに沿って引き出され、あるいはハンガーレールの一端側に畳み込まれる。【０００４】
また、チルト軸が回転されると、各上部ランナーから吊下支持されるパネルが同位相で回動される。
上記のような縦型ルーバーでは、各パネルが上部ランナー及び下部ランナーを介してハンガーレール及び下部レールに支持されている。従って、ハンガーレール及び下部レールに直交する方向のパネルの傾きはハンガーレール及び下部レールの設置位置を鉛直方向に揃えることにより解消することができる。【０００５】
しかし、各パネルは一つの上部ランナーでハンガーレールに吊下支持されているので、パネルの重心位置が上部ランナーの中心を含む鉛直線からずれると、パネルに傾きが生じる。そして、ハンガーレール及び下部レールではパネルの移送方向の傾きを規制することができない。【０００６】
特に、高さが数ｍに及ぶパネルでは、上記のような傾きが生じていると、各パネルを全閉状態すなわちハンガーレールに沿う状態に回動させたとき、パネルの上部と下部とでパネル間の隙間が不揃いとなり、美観上好ましくない。【０００７】
また、パネルの傾きが大きい場合には、パネルを全閉状態になるように回動させているとき、隣り合うパネルが干渉して、回動操作に支障を来たすこともある。
【発明の開示】
【０００８】
この発明の目的は、パネルの傾きを規制してパネル上部から下部までのパネル間隔を一定とし得る縦型ルーバーを提供することにある。
上記の目的を達成するため、本発明に従い、ハンガーレール内を移動可能な複数の上部ランナーと、前記上部ランナーにそれぞれ回動可能に吊下支持されるパネルと、下部レール内を移動可能であって前記パネルの下端部をそれぞれ支持する複数の下部ランナーとを備える縦型ルーバーが提供される。前記下部レールには、前記各パネルが引き出し位置にあるとき該パネルの上部から下部までにおけるパネル間隔を揃える位置で前記下部ランナーを保持する位置決め部材が設けられる。
【０００９】
好ましくは、前記位置決め部材は、前記各パネルの中心線が鉛直方向となる位置で前記下部レールに取着される。
【図面の簡単な説明】
【００１０】
【図１】（ａ）（ｂ）は一実施形態の縦型ルーバーを示す正面図である。
【図２】下部ランナー及び位置決め部材を示す正面図である。
【図３】下部ランナー及び位置決め部材を示す側面図である。
【図４】下部ランナーと位置決め部材の動作を示す平面図である。
【図５】下部ランナーと位置決め部材の動作を示す平面図である。
【図６】上部ランナーを示す側面図である。
【図７】上部ランナーを示す正面図である。
【発明を実施するための最良の形態】
【００１１】
以下、この発明を具体化した一実施形態を図面に従って説明する。図１に示す縦型ルーバーは、ハンガーレール２内を移動可能に支持された上部ランナー３，３ａにそれぞれ回動可能に吊下支持された３枚のパネル１ａ〜１ｃを備えている。そして、各パネル１ａ〜１ｃはハンガーレール２に沿って移動可能に支持され、かつ対応する上部ランナー３，３ａを回動支点として回動可能に支持される。【００１２】
また、前記パネル１ａ〜１ｃの下端には下部ランナー４ａ〜４ｃが取着され、その下部ランナー４ａ〜４ｃが下部レール５内を移動可能に支持されている。
先頭の上部ランナー３ａの具体的構成を図６及び図７に従って説明する。前記上部ランナー３ａのケース６は四角枠状に形成され、そのケース６の前後方向（上部ランナー３ａの進行方向に直交する方向）の両側下部に車輪７が回転可能に支持されている。そして、車輪７がハンガーレール２の下縁両側のレール部２ａ上を転動することにより、上部ランナー３ａがハンガーレール２内を移動するようになっている。【００１３】
前記ケース６の中央部には吊下軸８が回転可能に支持され、その吊下軸８の下端には前記パネル１ａ〜１ｃが吊下支持されている。なお、各パネル１ａ〜１ｃはその幅方向中央部において吊下軸８で吊下支持されて、通常吊下軸８の下方にパネル１ａ〜１ｃの重心が位置するように吊下支持される。【００１４】
前記吊下軸８の前後方向一側において、前記ケース６にはウォーム９が回転可能に支持され、そのウォーム９に噛み合うウォームホィール１０が前記吊下軸８に相対回転可能に支持されている。【００１５】
前記ウォームホィール１０の回転は、２枚の皿ばね１１の摩擦力で所定値以下の回転トルクを伝達するトルク伝達部１２を介して前記吊下軸８に伝達される。
前記ウォーム９の中心部には前記ハンガーレール２の全長に亘って配設されるとともに両端が同ハンガーレール２に回転可能に支持される四角棒状のチルト軸１３が挿通され、そのチルト軸１３がモーター(図示しない)で回転駆動される。そして、チルト軸１３が回転されると、前記上部ランナー３ａのウォーム９、ウォームホィール１０及びトルク伝達部１２を介して吊下軸８が回転され、パネル１ａ〜１ｃが回動される。なお、パネル１ａ〜１ｃが全閉状態まで回動されてそれ以上の回動が阻止されると、トルク伝達部１２の皿ばね１１が滑って、ウォームホィール１０の回転が吊下軸８に伝達されないようになっている。【００１６】
前記上部ランナー３ａには、吊下軸８に関して前記ウォーム９の反対側において移送軸１４が挿通されている。この移送軸１４はハンガーレール２の全長に亘って配設されるとともに、その両端が同ハンガーレール２に回転可能に支持され、モーター(図示しない)で回転駆動される。【００１７】
前記移送軸１４の外周面には螺旋溝が刻設され、先頭の上部ランナー３ａにはその螺旋溝に噛み合うロータリーライナー１５が取着されている。そして、移送軸１４の正逆回転に基づいて、上部ランナー３ａがハンガーレール２内をパネル１ａ〜１ｃの引き出し方向あるいは畳み込み方向に移動するようになっている。【００１８】
前記吊下軸８の下端には取付金具２６が支持され、その取付金具２６に前記パネル１ａが取着される。従って、パネル１ａは吊下軸８から取付金具２６を介して吊下支持される。【００１９】
前記吊下軸８の下端部には回動規制片２７が取着されている。この回動規制片２７は、金属板を溝形に屈曲して形成され、その長手方向（上部ランナー３ａの進行方向）における一端部の両側には上方に延びる第一及び第二の係止片２８ａ，２８ｂが形成されている。【００２０】
前記上部ランナー３ａのケース６の左右方向（ランナー３ａの移動方向）両側には前記第一及び第二の係止片２８ａ，２８ｂに当接する第一及び第二のストッパ２９ａ，２９ｂが設けられている。各ストッパ２９ａ，２９ｂは、前記ケース６に固定された支持片３０と、その支持片３０に螺入された調節ネジ３１ａ，３１ｂとを有している。【００２１】
そして、図６に示すように、第一の係止片２８ａが第一のストッパ２９ａの調節ネジ３１ａの先端に当接した状態では、パネル１ａがハンガーレール２に沿う状態（全閉状態）になるように、調節ネジ３１ａの先端位置が調整されている。また、この状態からパネル１ａが１８０度回動されて、第二の係止片２８ｂが第二のストッパ２９ｂの調節ネジ３１ｂの先端に当接した状態でも、パネル１ａがハンガーレール２に沿う状態（全閉状態）になるように、調節ネジ３１ｂの先端位置が調整されている。【００２２】
このような構成により、パネル１ａは全閉状態（全閉位置）とその全閉状態から１８０度回動した逆全閉状態（逆全閉位置）との間の範囲でのみ回動可能となっている。
前記上部ランナー３は、ロータリーライナー１５が設けられていない点を除いて、先頭の上部ランナー３ａと同一構成である。従って、チルト軸１３の回転に基づいてパネル１ａ〜１ｃが同位相で回動される。【００２３】
前記各上部ランナー３ａ，３は、公知のスペーサー（図示しない）で連結され、先頭の上部ランナー３ａがパネルの引き出し方向に移動すると、後続の上部ランナー３が一定間隔を隔てて追随するようになっている。また、先頭の上部ランナー３ａがパネルの畳み込み方向に移動すると、先頭の上部ランナー３ａにより後続の上部ランナー３が押し戻されるようになっている。【００２４】
次に、前記下部レール５内を移動する下部ランナー４ａ〜４ｃの具体的構成を説明する。図２及び図３に示すように、前記下部レール５はアルミ押し出し形材で上方を開口した四角筒状に形成されている。前記下部レール５の両内側面には、互いに対向する四対のリブ１６ａ〜１６ｄが上下方向に等間隔をおいて形成され、下部レール５内には上下方向に３段の第一〜第三の案内部１７ａ〜１７ｃが形成されている。【００２５】
前記パネル１ａ〜１ｃのうち、先頭のパネル１ａの下部ランナー４ａは上段に位置する第一の案内部１７ａ内を移動し、パネル１ｂの下部ランナー４ｂは中段に位置する第二の案内部１７ｂ内を移動し、パネル１ｃの下部ランナー４ｃは下段に位置する第三の案内部１７ｃ内を移動する。【００２６】
前記下部ランナー４ａ〜４ｃは同一構成であるので、下部ランナー４ｂについて説明する。図３に示すように、パネル１ｂから下方に延びるランナー軸１８の下端部には、車輪１９がランナー軸１８の軸線の周りで回転可能に支持され、その車輪１９が一対のリブ１６ｂで下部レール５の幅方向にほぼ位置決めされた状態で下部レール５に沿って移動可能に支持されている。【００２７】
前記車輪１９の下方において、前記ランナー軸１８の下端には磁石２０が取着されている。この磁石２０は、図４に示すように、ランナー軸１８の軸線の周りに９０度間隔で交互に配置されたＮ極とＳ極とを有している。図１（ｂ）に示すように、パネル１ｂをハンガーレール２に直交する方向に回動した状態では、図４に示すように、下部レール５の長手方向すなわちパネル１ｂの移動方向に沿って２つのＮ極が配置される。また、図１（ａ）に示すように、パネル１ｂをハンガーレール２に沿う方向に回動した状態では、図５に示すように、下部レール５の長手方向すなわちパネル１ｂの移動方向に沿って２つのＳ極が配置される。【００２８】
前記下部ランナー４ａは、第一の案内部１７ａ内を移動することを除いて、下部ランナー４ｂと同様に構成される。下部ランナー４ｃも第三の案内部１７ｃ内を移動することを除いて、下部ランナー４ｂと同様に構成される。【００２９】
前記下部レール５には、前記パネル１ａ〜１ｃの引き出し位置で前記下部ランナー４ａ〜４ｃを位置決めし、かつ保持する位置決め部材２１ａ〜２１ｃが取着されている。
前記位置決め部材２１ａは、図２、図４及び図５に示すように、Ｌ型に折り曲げられた金属板で形成され、その水平辺と挟着板２２との間に前記一対のリブ１６ｂを挟んだ状態でねじ２２ａを挟着板２２に螺入することによりリブ１６ｂに固定されている。そして、位置決め部材２１ａの垂直辺２３は第一の案内部１７ａを封鎖するように垂立している。【００３０】
また、前記垂直辺２３の一方の側面、すなわち前記下部ランナー４ａに対向する側面において、前記磁石２０に対向する位置にはＮ極に着磁された磁石２４が取着され、その磁石２４の上方において、前記車輪１９に対向する位置には軟質合成樹脂で形成された緩衝材２５が取着されている。【００３１】
前記位置決め部材２１ａは、パネル１ａが最大引き出し位置まで引き出されたとき、その緩衝材２５が前記車輪１９に当接してパネル１ａの中心線Ｃを鉛直方向に保持する位置でリブ１６ｂに固定されている。【００３２】
そして、車輪１９が緩衝材２５に当接する状態で、パネル１ａが全閉状態すなわちハンガーレール２に沿う状態に回動されると、下部ランナー４ａの磁石２０のＳ極とＮ極の磁石２４とが吸引し合い、パネル１ａが最大引き出し位置で全閉状態に保持される。【００３３】
また、車輪１９が緩衝材２５に当接する状態で、パネル１ａがハンガーレール２に直交する状態に回動された状態では、下部ランナー４ａの磁石２０のＮ極が磁石２４に対向するため、下部ランナー４ａは位置決め部材２１ａに吸引されない。【００３４】
前記位置決め部材２１ｂ，２１ｃは位置決め部材２１ａと同一構成である。そして、位置決め部材２１ｂは下部ランナー４ｂが最大引き出し位置まで引き出されたとき、その緩衝材２５が下部ランナー４ｂの車輪１９に当接して、パネル１ｂの中心線を鉛直方向に保持する位置でリブ１６ｃに固定される。【００３５】
また、位置決め部材２１ｃは、下部ランナー４ｃが最大引き出し位置まで引き出されたとき、その緩衝材２５が下部ランナー４ｃの車輪１９に当接してパネル１ｃの中心線Ｃを鉛直方向に保持する位置でリブ１６ｄに固定される。【００３６】
前記位置決め部材２１ａ〜２１ｃの取り付け手順は、まず位置決め部材２１ａをパネル１ａが鉛直方向に保持され得る位置で固定する。次いで、位置決め部材２１ａに対し上部ランナー３，３ａの引き出し操作時の間隔と同一間隔を隔てた位置に位置決め部材２１ｂを固定し、さらに位置決め部材２１ｂから同一間隔を隔てた位置に位置決め部材２１ｃを固定する。このような取り付け手順により、各パネル１ａ〜１ｃを鉛直方向に保持し得る位置で位置決め部材２１ａ〜２１ｃを下部レール５に取着可能となる。【００３７】
次に、上記のように構成された縦型ルーバーの動作を説明する。
パネル１ａ〜１ｃがハンガーレール２の一端部に畳み込まれた状態から、移送軸１４をパネル引き出し方向に回転させると、先頭のパネル１ａがハンガーレール２に沿って引き出され、後続のパネル１ｂ，１ｃが一定間隔を隔てて順次引き出される。【００３８】
パネル１ａが最大引き出し位置まで引き出されると、下部ランナー４ａの車輪１９が位置決め部材２１ａの緩衝材２５に当接し、後続のパネル１ｂ，１ｃの下部ランナー４ｂ，４ｃの車輪１９もそれぞれ対応する位置決め部材２１ｂ，２１ｃの緩衝材２５に当接する。【００３９】
この状態で、チルト軸１３を回転させてパネル１ａ〜１ｃを全閉位置に回動させると、図５に示すように下部ランナー４ａ〜４ｃの磁石のＳ極と、位置決め部材２１ａ〜２１ｃの磁石２４とが対向する状態となって吸引し合う。すると、各パネル１ａ〜１ｃはその中心線が鉛直方向となる状態で保持される。【００４０】
各パネル１ａ〜１ｃを畳み込む場合には、チルト軸１３を回転させて各パネル１ａ〜１ｃを回動させ、各パネル１ａ〜１ｃをハンガーレール２に対し直交する状態とする。すると、図４に示すように、下部ランナー４ａ〜４ｃの磁石のＮ極と、位置決め部材２１ａ〜２１ｃの磁石２４とが対向する状態となって反発しあう。【００４１】
この状態で移送軸１４をパネル畳み込み方向に回動させると、パネル１ａが移動して、パネル１ｂ，１ｃをハンガーレール２の一端側へ押し戻す。
上記のように構成された縦型ルーバーでは、次に示す利点を得ることができる。【００４２】
（１）パネル１ａ〜１ｃを引き出して全閉状態としたとき、各パネル１ａ〜１ｃをその中心線が鉛直方向となるように保持することができる。従って、パネルの上部と下部とでパネル間の隙間が不揃いとなることはない。【００４３】
（２）下部レール５に設けた位置決め部材２１ａ〜２１ｃにより、各パネル１ａ〜１ｃを最大引き出し位置まで引き出したとき、各パネル１ａ〜１ｃをその中心線が鉛直方向となるように位置決めすることができる。【００４４】
（３）下部レール５に設けた位置決め部材２１ａ〜２１ｃにより、各パネル１ａ〜１ｃを最大引き出し位置まで引き出したとき、上部ランナー３，３ａ同士の間隔と下部ランナー４ａ〜４ｃ同士の間隔とを一致させることができる。従って、パネルの上部と下部とでパネル間の隙間が不揃いとなることはない。【００４５】
（４）各位置決め部材２１ａ〜２１ｃに設けた磁石２４と、各パネル１ａ〜１ｃの下部ランナー４ａ〜４ｃに設けた磁石２０とにより、各パネル１ａ〜１ｃを全閉位置に回動した状態で各パネル１ａ〜１ｃをその中心線Ｃが鉛直方向となるように保持することができる。【００４６】
（５）各パネル１ａ〜１ｃを全閉状態からハンガーレール２に直交する状態に回動すれば、各位置決め部材２１ａ〜２１ｃに設けた磁石２４に対し、各パネル１ａ〜１ｃの下部ランナー４ａ〜４ｃに設けた磁石２０を反発させることができるので、パネル１ａ〜１ｃの畳み込み操作を円滑に開始することができる。【００４７】
（６）下部ランナー４ａ〜４ｃの車輪７を位置決め部材２１ａ〜２１ｃの緩衝材２５に当接させて位置決めするので、下部ランナー４ａ〜４ｃの車輪７と位置決め部材２１ａ〜２１ｃとの衝突音の発生を防止することができる。【００４８】
（７）ストッパ２９ａ，２９ｂの調整ネジ３１ａ，３１ｂにより、各パネル１ａ〜１ｃを全閉状態あるいは逆全閉状態とするときに各パネル１ａ〜１ｃの向きをハンガーレール２に沿う向きとなるように調整することができる。【００４９】
上記実施の形態は、以下の態様で実施してもよい。
前記位置決め部材２１ａ〜２１ｃの取付け位置は、各パネル１ａ〜１ｃの中心線Ｃを鉛直方向とすることなく、前記下部ランナー４ａ〜４ｃ同士の間隔を上部ランナー３，３ａ同士の間隔と一致させる位置としてもよい。【００５０】
パネル１ａ〜１ｃは、全閉状態から逆全閉状態まで１８０度の範囲でのみ回動可能である。そして、図４に示す状態から、パネル１ａ〜１ｃを正逆方向のいずれかに９０度回動させてパネル１ａ〜１ｃを全閉状態あるいは逆全閉状態にする構成である。そのため、下部ランナー４ａ〜４ｃの磁石２０は１つのＮ極の両側に２つのＳ極を有する構成としてもよい。【００５１】
下部ランナー４ａ〜４ｃの磁石２０と位置決め部材２１ａ〜２１ｃの磁石との反発力は小さくてよいので、下部ランナー４ａ〜４ｃのＮ極の磁石は磁力の小さいものでよい。
位置決め部材２１ａ〜２１ｃの磁石２４をＳ極とし、パネル１ａ〜１ｃを全閉状態としたとき、下部ランナー４ａ〜４ｃの磁石２０のＮ極と吸引し合うようにしてもよい。
【図１】
2009133609.tif 000003
【図２】
2009133609.tif 000004
【図３】
2009133609.tif 000005
【図４】
2009133609.tif 000006
【図５】
2009133609.tif 000007
【図６】
2009133609.tif 000008
【図７】
2009133609.tif 000009
【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
ハンガーレール内を移動可能な複数の上部ランナーと、前記上部ランナーにそれぞれ回動可能に吊下支持されるパネルと、下部レール内を移動可能であって前記パネルの下端部をそれぞれ支持する複数の下部ランナーとを備える縦型ルーバーにおいて、
前記上部ランナーは、前記各パネルが引き出し位置にあるときに一定間隔を隔てて配置されるように相互に連結されており、
前記下部レールには、前記各パネルが引き出し位置にあるとき該パネルの上部から下部までにおけるパネル間隔を揃える位置で前記下部ランナーを保持する位置決め部材を設け、
前記位置決め部材と前記下部ランナーとには、前記パネルを全閉位置に回動した状態に保持する磁石を備えたことを特徴とする縦型ルーバー。
【請求項２】
前記位置決め部材は、前記各パネルの中心線が鉛直方向となる位置で前記下部レールに取着したことを特徴とする請求項１記載の縦型ルーバー。
【請求項３】
前記位置決め部材は、前記下部ランナー同士の間隔が前記上部ランナー同士の間隔と等しくなる位置で前記下部レールに取着したことを特徴とする請求項１記載の縦型ルーバー。
【請求項４】
前記位置決め部材と前記下部ランナーとには、前記パネルをハンガーレールに直交する状態に回動したとき、互いに反発する磁石を備えたことを特徴とする請求項１記載の縦型ルーバー。
【請求項５】
前記位置決め部材には、前記下部ランナーに当接して同下部ランナーを位置決めする緩衝材を設けたことを特徴とする請求項１乃至４のいずれか１項に記載の縦型ルーバー。
【請求項６】
前記下部レールには、前記パネルの下部ランナーをそれぞれ案内する複数の案内部を上下方向に並設し、前記位置決め部材を前記案内部にそれぞれ設けたことを特徴とする請求項１乃至５のいずれか１項に記載の縦型ルーバー。
【請求項７】
前記上部ランナーには、前記パネルを前記ハンガーレールに沿う状態になるまで一方向
に回動させた状態から同一方向へのそれ以上の回動を阻止するストッパを備えたことを特徴とする請求項１乃至６のいずれか１項に記載の縦型ルーバー。
【手続補正２】
【補正対象書類名】明細書
【補正対象項目名】０００８
【補正方法】変更
【補正の内容】
【０００８】
この発明の目的は、パネルの傾きを規制してパネル上部から下部までのパネル間隔を一定とし得る縦型ルーバーを提供することにある。
上記の目的を達成するため、本発明に従い、ハンガーレール内を移動可能な複数の上部ランナーと、前記上部ランナーにそれぞれ回動可能に吊下支持されるパネルと、下部レール内を移動可能であって前記パネルの下端部をそれぞれ支持する複数の下部ランナーとを備える縦型ルーバーが提供される。前記上部ランナーは、前記各パネルが引き出し位置にあるときに一定間隔を隔てて配置されるように相互に連結されている。前記下部レールには、前記各パネルが引き出し位置にあるとき該パネルの上部から下部までにおけるパネル間隔を揃える位置で前記下部ランナーを保持する位置決め部材が設けられる。また、前記位置決め部材と前記下部ランナーとには、前記パネルを全閉位置に回動した状態に保持する磁石が備えられている。
【国際調査報告】
2009133609.tif 000010
2009133609.tif 000011
2009133609.tif 000012
2009133609.tif 000013